(57)【要約】【課題】簡単な構造で、ペルチェ素子を冷却する空気乾燥装置を提供する。【解決手段】上下が開放された金属筒（１）と、該金属筒（１）の外壁に冷却側を貼付したペルチェ素子（２）と、前記ペルチェ素子（２）の発熱側を外壁に貼付した金属製水タンク（３）とで構成された空気乾燥器を提供する。【選択図】図１
0003178029.tif 000002
【実用新案登録請求の範囲】
【請求項１】
上下が開放された金属筒と、この金属筒の上部に吸引管が接続可能なホース口と、この金属筒の下部に吸気口、及び結露水を受ける集水容器と、この金属筒の外壁に冷却側を貼付したペルチェ素子と、このペルチェ素子の発熱側を外壁に貼付した金属製水タンクとで構成された空気乾燥器。
【請求項２】
請求項１の空気乾燥器において前記集水容器の満水面が前記吸気口よりも下にあることを特徴とする空気乾燥器。
【考案の詳細な説明】
【技術分野】
【０００１】  本考案は、ペルチェ素子を利用して、空気を冷却・乾燥させる空気乾燥器に関するものである。
【背景技術】
【０００２】  ペルチェ素子は、２種類の金属の接合部に電流を流すと、片方の金属からもう片方へ熱が移動するというペルチェ効果を利用した板状の半導体素子で、直流電流を流すと、一方の面が吸熱（冷却）し、反対面に発熱が起こる。ただ、発熱側の十分な冷却を行わないまま負荷をかけ続けると、吸熱側の冷却効率が落ちるばかりでなく素子自体が破損・焼損することがある。【０００３】  従来、ペルチェ素子を利用して、空気を冷却・乾燥させる場合、発熱側を冷却するためには、発熱側の面にフィンを複数枚重ねた冷却ユニットを接触させていた。【０００４】  また、空気を冷却する場合、結露水の排水を考慮していなかった。
（参考文献）特許公開２０１１−１５３７７６
【考案の開示】
【考案が解決しようとする課題】
【０００５】  しかし、フィンを複数枚重ねた冷却ユニットは、ペルチェ素子の冷却のためだけに使用され、広大な面積を空気に接触させる必要があるため、ペルチェ素子本体に比べてきわめて大きく重くなり、これらを含む装置も過大になった。【０００６】  また、結露水の排水を考慮しないと、結露水が排水口に詰まるなどしてあふれ、金属筒内の空気流入に支障をきたすこともあった。【０００７】  本考案は、このような事情に鑑みてなされたもので、その目的はペルチェ素子の冷却構造をコンパクトにして、これらを含む装置全体を小型化し、取り扱いを容易にするとともに、メンテナンスの容易化をはかり、装置製作と運用のコストダウンをはかろうとするものである。
【課題を解決するための手段】
【０００８】  前記課題を解決するため、本考案は以下の如き手段を採用する。
上下が開放された金属筒と、この金属筒の上部に吸引管が接続可能なホース口と、この金属筒の下部に吸気口、及び結露水を受ける集水容器と、この金属筒の外壁に冷却側を貼付したペルチェ素子と、このペルチェ素子の発熱側を外壁に貼付した金属製水タンクとで構成された空気乾燥器を提供する。【０００９】  また、前記記載の空気乾燥器において、前記集水容器の満水面が前記吸気口よりも下にあることを特徴とする空気乾燥器を提供する。
【考案の効果】
【００１０】  本考案の請求項１に記載の考案によれば、上下が開放された金属筒の下部の吸気口から流入した空気は、上部吸入管から吸入され、前記金属筒の内部を上昇する。【００１１】  前記金属筒は、ペルチェ素子の冷却側面で冷却されているため、内部を上昇する空気は、前記金属筒に触れて冷却・凝結し、結露水に変わる。【００１２】  この結露水は、前記金属筒の下部開放部から排出され、集水容器に集められ排水ホースより排水される。よって筒内を上昇する空気中の水分は除去されるため、この湿度の低下し乾燥した空気が前記金属筒の上部開放部から吸引され、乾燥空気として排出される。【００１３】  前記ペルチェ素子の発熱側は、別途設けられた金属製水タンクの外壁に張り付けられる。前記ペルチェ素子が通電している間は、前記金属製水タンクの水が流れるようにシステムを構築すれば、前記ペルチェ素子の熱は、常時前記金属製水タンクの水に伝達され、前記ペルチェ素子の冷却と発熱の作用は継続する。【００１４】  したがって、軽微な装置で、ペルチェ素子を利用した空気乾燥装器を提供することができる。【００１５】  また、本考案請求項２に記載の考案によれば、集水容器に集められた結露水により集水容器が満水になったときでも、金属筒の吸気に支障がない。したがって、排水ホースからの排水不良が起きても、金属筒に空気を吸入して除湿する機能を持続できる。
【考案を実施するための形態】
【００１６】  以下、本考案を実施するための最良の形態を図面に基づいて詳細に説明する。
図１は、本考案に係わる空気乾燥器の一実施形態である。
本考案の排気弁は、金属筒（１）、ペルチェ素子（２）、金属製水タンク（３）、電磁バルブ（４）、流水口（５）、排水口（６）、水（７）、空気（８）、吸気口（９）、ホース口（１０）、吸引管（１１）、集水容器（１２）、空気ポンプ（１３）、乾燥空気（１４）、
満水面（１５）、排水ホース（１６）
で構成される。
以下、図１において、この作動を順次説明する。
【００１７】  上下が開放された金属筒（１）の下部にある吸気口（９）から流入した空気（８）は、上部ホース口（１０）につながる吸引管（１１）から排出され、前記金属筒（１）の内部を上昇する。
【００１８】  前記吸引管（１１）の先には、空気ポンプ（１３）が設けられており、前記金属筒（１）下部の前記吸気口（９）からの空気（８）の流入を促している。
【００１９】  前記金属筒（１）は、ペルチェ素子（２）の冷却側面で冷却されているため、内部を上昇する前記空気（８）は、前記金属筒に触れて冷却・凝結し、結露水に変わる。
【００２０】  この結露水は、前記金属筒（１）の下部開放部から排出され、集水容器（１２）に入る。よって筒内を上昇する空気中の水分は除去されるため、湿度が低下して乾燥した空気が前記金属筒（１）の前記上部ホース口（１０）から吸引され、乾燥空気（１４）として排出される。
【００２１】  前記ペルチェ素子（２）の発熱側は、別途設けられた金属製水タンク（３）の外壁に張り付けられている。この金属製水タンク（３）には、電磁バルブ（４）を通過して流水口（５）から水（７）が流入し、上部の排水口（６）から流出する。
【００２２】  この水（７）の温度は、流入するときは、ペルチェ素子（２）の発熱温度より充分低く設定されている。
【００２３】  前記ペルチェ素子（２）が通電している間は、電磁バルブ（４）をオンにして開放し、絶えず冷たくて新しい水（７）が前記金属製水タンク（３）に供給され流れるようにすれば、前記ペルチェ素子（２）の熱は、前記金属製水タンク（３）の壁を通して水（７）に吸収され、したがって、前記ペルチェ素子（２）の発熱側の冷却を持続することができ、乾燥装置としての機能を維持することができる。
【００２４】  また、金属筒（１）から落ちる結露水で集水容器（１２）の水が一杯になっても、その満水面（１５）が吸気口（９）の下に位置するため、金属筒（１）への吸気には支障がない。したがって、排水ソースの詰まり等によって排水不良が起きても、金属筒（１）へ空気（８）を吸入して除湿する機能を持続することができる。
【産業上の利用可能性】
【００２５】  本考案は、乾燥した空気や空間を必要とする場合に用いられる。
例えば、医療器具や食品加工器具の殺菌や洗浄に使用するオゾン水の発生装置に用いられる。金属筒（１）の上部から抜けた乾燥空気（１４）は、オゾン発生器に供給され、気体オゾンとなり、流入する水に溶かすことによって、オゾン水を生成する。
【図面の簡単な説明】
【００２６】
【図１】本考案に係わる空気乾燥器の一実施形態を正面側から見た断面図
【符号の説明】
【００２７】  １  金属筒
２  ペルチェ素子
３  金属製水タンク
４  電磁バルブ
５  流水口
６  排水口
７  水
８  空気
９  吸気口
１０  ホース口
１１  吸引管
１２  集水容器
１３  空気ポンプ
１４  乾燥空気
１５  満水面
１６  排水ホース
【図１】
0003178029.tif 000003